(57)【要約】【課題】複同調回路の同調周波数とイメージ妨害対策用のトラップ回路の共振周波数との関係を、テレビジョンシステムの仕様に合わせて適宜変更できるようにする。【解決手段】同調周波数可変の複同調回路と、前記複同調回路の前段に設けられた高周波増幅器と、前記複同調回路の次段に設けられた混合器と、前記複同調回路と前記高周波増幅器と前記混合器とをその上面に構成する回路基板とを備え、前記回路基板上には一次同調回路を前器高周波増幅器に接続するための一次側導体パターンと、二次同調回路を前記混合器に接続するための二次側導体パターンと、一端が前記二次側導体パターンに接続された結合用導体パターンとを形成し、前記回路基板上にはチップ部品取付用の１対の接続ランドを前記一次側導体パターンの両側に形成し、前記結合用導体パターンの他端を前記接続ランドの一方に接続した。【選択図】　　　　図１
0003097386.tif 000002
【実用新案登録請求の範囲】
【請求項１】
同調周波数可変の複同調回路と、前記複同調回路の前段に設けられた高周波増幅器と、前記複同調回路の次段に設けられた混合器と、前記複同調回路と前記高周波増幅器と前記混合器とをその上面に構成する回路基板とを備え、前記回路基板上には一次同調回路を前記高周波増幅器に接続するための一次側導体パターンと、二次同調回路を前記混合器に接続するための二次側導体パターンと、一端が前記二次側導体パターンに接続された結合用導体パターンとを形成し、前記回路基板上にはチップ部品取付用の１対の接続ランドを前記一次側導体パターンの両側に形成し、前記結合用導体パターンの他端を前記接続ランドの一方に接続したことを特徴とするテレビジョンチューナ。
【請求項２】
前記二次側導体パターンの途中にはバラクタダイオードを介挿し、前記結合用導体パターンの一端を前記バラクタダイオードと前記混合器との間の前記二次側導体パターンに接続したことを特徴とする請求項１に記載のテレビジョンチューナ。
【考案の詳細な説明】
【０００１】
【考案の属する技術分野】
本考案は、複同調回路を利用してイメージ周波数を減衰するように構成したテレビジョンチューナに関する。
【０００２】
【従来の技術】
従来のテレビジョンチューナを図４に示す。回路基板３１上には高周波増幅器３２、複同調回路３３、混合器３４、発振器３５が構成される。複同調回路３３は結合コイルＭによって相互に結合された一次同調回路３３ａ、二次同調回路３３ｂを有し、各同調回路はそれぞれ直列接続された二つのコイルＬ１、Ｌ２と、それらに並列接続されたバラクタダイオードＤｉと、コイルＬ１、Ｌ２間を接地するためのスイッチ素子（ダイオード等）Ｓｗを有する。この複同調回路はスイッチ素子Ｄｉがオフの特はローバンドの周波数帯に同調し、スイッチ素子Ｄｉがオンのときにハイバンドの周波数帯に同調する。そして、受信するテレビジョン信号の周波数に同調するようにバラクタダイオードに印加する電圧（図示せず）を制御する。
【０００３】
回路基板３１上には高周波増幅器３２と一次同調回路を接続する一次側導体パターン３６と、混合器３４と二次同調回路３３ｂとを接続する二次側導体パターン３７が形成される。そして、二次側導体パターン３７の途中には二次同調回路３３ｂと混合器３４とを結合するバラクタダイオード３８が介挿される。
【０００４】
また、バラクタダイオード３８と混合器３４との間に二次側導体パターン３７には結合用の導体パターン３９の一端が接続され、導体パターン３９の他端には一次側導体パターン３６に沿って対向する対向部３９ａが設けられる。この対向部３９ａと一次側導体パターン３６との間で静電容量が形成される。
【０００５】
複同調回路３３の一次側及び二次側のコイルＬ１、Ｌ２と結合コイルＭとはＹ型回路を構成しているが、これを等価的なΔ型回路に変換すれば、その一辺のインダクタンスと上記の静電容量とが並列共振回路を構成するので、その共振周波数では減衰する特性が得られる。よってその並列共振周波数をイメージ周波数になるように設定することで並列共振回路はイメージ妨害を受けにくくするイメージトラップ回路として作用する。
【０００６】
【考案が解決しようとする課題】
上記の並列共振回路の共振周波数は、回路基板に形成した導体パターンによってほぼ決まってしまうが、受信周波数とイメージ周波数との関係はテレビジョンシステム（仕様）の違いによって異なるので、共通の回路基板を使用して仕様の異なるテレビジョンチューナを構成することはできない。従って、回路基板を仕様毎に準備することとなり、多数の種類を扱うので生産管理上のコストが上昇していた。
【０００７】
本考案は、複同調回路の同調周波数とイメージ妨害対策用のトラップ回路の共振周波数との関係を、テレビジョンシステムの仕様に合わせて適宜変更できるようにする。
【０００８】
【課題を解決するための手段】
上記の課題を解決するため、本考案では、同調周波数可変の複同調回路と、前記複同調回路の前段に設けられた高周波増幅器と、前記複同調回路の次段に設けられた混合器と、前記複同調回路と前記高周波増幅器と前記混合器とをその上面に構成する回路基板とを備え、前記回路基板上には一次同調回路を前記高周波増幅器に接続するための一次側導体パターンと、二次同調回路を前記混合器に接続するための二次側導体パターンと、一端が前記二次側導体パターンに接続された結合用導体パターンとを形成し、前記回路基板上にはチップ部品取付用の１対の接続ランドを前記一次側導体パターンの両側に形成し、前記結合用導体パターンの他端を前記接続ランドの一方に接続した。
【０００９】
また、前記二次側導体パターンの途中にはバラクタダイオードを介挿し、前記結合用導体パターンの一端を前記バラクタダイオードと前記混合器との間の前記第二次側導体パターンに接続した。
【００１０】
【考案の実施の形態】
本考案のテレビジョンチューナの構成を図１に示す。回路基板１上には高周波増幅器２、複同調回路３、混合器４、発振器５が構成される。複同調回路３は結合コイルＭによって相互に結合された一次同調回路３ａ、二次同調回路３ｂを有し、各同調回路３ａ、３ｂはそれぞれ直列接続された二つのコイルＬ１、Ｌ２と、それらに並列接続されたバラクタダイオードＤｉと、コイルＬ１、Ｌ２間を接地するためのスイッチ素子（ダイオード等）Ｓｗを有する。この複同調回路３はスイッチ素子Ｄｉがオフの特はローバンドの周波数帯に同調し、スイッチ素子Ｄｉがオンのときにハイバンドの周波数帯に同調する。そして、受信するテレビジョン信号の周波数に同調するようにバラクタダイオードに印加する電圧（図示せず）を制御する。
【００１１】
回路基板１上には高周波増幅器２と一次同調回路３ａとを接続する一次側導体パターン６と、混合器４と二次同調回路３ｂとを接続する二次側導体パターン７が形成される。そして、二次側導体パターン７の途中には二次同調回路３ｂと混合器４とを結合するバラクタダイオード８が介挿される。
【００１２】
また、バラクタダイオード８と混合器４との間に二次側導体パターン７には結合用導体パターン９の一端が接続される。一方、結合用導体パターン９の他端近傍には、一次側導体パターン６の両側に沿ってチップ部品接続用の１対の接続ランド１０、１１が設けられる。そして、結合用導体パターン９の他端が一方の接続ランド１０に一体に接続されている。よって、接続ランド１０、１１間にチップ部品が接続されない状態では、接続ランド１０と一次側導体パターン６との間で静電容量が形成される。
【００１３】
また、接続ランド１０、１１間に接続されるチップ部品には図２Ａに示すような直方体形状のチップ部品１３、図２Ｂに示すような円筒形状のチップ部品１４があるが、いずれもその表面には絶縁膜によって保護された導体（図示せず）が被着されており、その導体は少なくとも一方の電極１３ｂ、１４ｂに接続されている。よってチップ部品１３、１４を接続ランド１０、１１間に接続すれば図３のＡ、Ｂに示すようにチップ部品１３、１４の本体部１３ａ、１４ａが一次側導体パターン６上で対向しその間に形成される静電容量が増える。この際、直方体のチップ部品１３は表面が平坦なので一次側導体パターン６との間で形成される静電容量は最も大きくなる。
【００１４】
よって、接続ランド１０、１１間にチップ部品を接続しない場合は、結合用導体パターン９は最も小さな静電容量によって一次側導体パターン６に結合し、接続ランド１０、１１間に直方体形状のチップ部品１３を接続すれば、結合用導体パターン９は最も大きな静電容量によって一次側導体パターン６に結合し、円筒状チップ部品１４を接続すれば、それらの中間の静電容量によって一次側導体パターン６に結合する。
【００１５】
このことから、Ｙ型回路を構成している複同調回路３の一次側及び二次側のコイルＬ１、Ｌ２と結合コイルＭとをΔ型回路に等価変換した場合のその一辺のインダクタンスと上記の３通りの静電容量とによって構成される並列共振回路の共振周波数は異なる。よって、この共振周波数では信号が減衰するので共振周波数をイメージ周波数に設定すれば並列共振回路はトラップ回路として作用する。そしてこの共振周波数が個別の仕様のテレビジョンチューナのイメージ周波数に近い周波数となるようにチップ部品の要否及びチップ部品の種別を決めれば、共通の回路基板を使用して各仕様のテレビジョンチューナのイメージ妨害を受けにくくすることができる。
【００１６】
なお、結合用導体パターン９をバラクタダイオード８と混合器４との間の第二次側導体パターン７に接続しているので、並列共振周波数も同調周波数に対応して変化するので、各バンド内においてイメージ妨害を受けない。
【００１７】
【考案の効果】
以上説明したように、本考案では、回路基板上には一次同調回路を高周波増幅器に接続するための一次側導体パターンと、二次同調回路を混合器に接続するための二次側導体パターンと、一端が二次側導体パターンに接続された結合用導体パターンとを形成し、回路基板上にはチップ部品取付用の１対の接続ランドを一次側導体パターンの両側に形成し、結合用導体パターンの他端を接続ランドの一方に接続したので、結合用導体パターンと一次側導体パターンとの間に形成される静電容量の大きさは、接続ランド間にチップ部品を接続するか否かによって異なると共に、接続するチップ部品の形状によっても異なる。よって、この静電容量によって構成されるトラップ回路の周波数が変わるので、この周波数に近いイメージ周波数を有するテレビジョンチューナに対応してチップ部品の要否及びチップ部品の種別を決めれば、共通の回路基板を使用して各仕様のテレビジョンチューナのイメージ妨害を受けにくくすることができる。
【００１８】
また、二次側導体パターンの途中にはバラクタダイオードを介挿し、結合用導体パターンの一端をバラクタダイオードと混合器との間の第二次側導体パターンに接続したので、トラップ周波数も同調周波数に対応して変化するので、各バンド内においてイメージ妨害を受けない。
【図面の簡単な説明】
【図１】本考案のテレビジョンチューナの構成図である。
【図２】本考案のテレビジョンチューナに使用するチップ部品の斜視図である。
【図３】本考案のテレビジョンチューナにおけるチップ部品の取付図である。
【図４】従来のテレビジョンチューナの構成図である。
【符号の説明】
１　回路基板
２　高周波増幅器
３　複同調回路
３ａ　一次同調回路
３ｂ　二次同調回路
４　混合器
５　発振器
６　一次側導体パターン
７　二次側導体パターン
８　バラクタダイオード
９　結合用導体パターン
１０、１１　接続ランド
【図１】
0003097386.tif 000003
【図２】
0003097386.tif 000004
【図３】
0003097386.tif 000005
【図４】
0003097386.tif 000006